(57)【要約】    【課題】ＦＰＣ接続用電気コネクタにおいて、低背化を達成でき、しかも安定した接圧を確保することができ、且つ安価であること。    【解決手段】スライダ６の押圧板５をＦＰＣ７と共にＦＰＣ７の挿入方向Ｙに沿って固定ハウジング４の挿入凹部２内の所定位置まで挿入する。接触部８からの接圧により、押圧板５を上向きに凸になる方向へ撓ませようする力が働く。これに対して、押圧板５の加圧面５ａに膨出部５ｂを設け、押圧板５の対向面５ｄに凹部５ｅを設けておく。すなわち、押圧板５に予め下向きに凸の逆反り形状を与えておくことで、押圧板５の不必要な撓みを防止して、ＦＰＣ７に対する十分な接触圧力を確保する。【選択図】  図５
2005063842.tif 000002
【特許請求の範囲】
【請求項１】
ＦＰＣ挿入方向に沿ってＦＰＣを挿入可能な挿入凹部を有する固定ハウジングと、
固定ハウジングに横並びに保持された複数のコンタクトと、
左右一対の接続手段を介して固定ハウジングに接続され、固定ハウジングの所定位置に変位可能な可動ハウジングとを備え、
この可動ハウジングは、上記所定位置に変位した状態でＦＰＣをコンタクトの接触部に押圧するための加圧面を有する合成樹脂からなる押圧板を含み、
自由状態の押圧板は、その加圧面のＦＰＣ挿入方向の中間部に湾曲状の膨出部を含むことを特徴とするＦＰＣ接続用電気コネクタ。
【請求項２】
請求項１において、上記可動ハウジングの押圧板は、挿入凹部内にＦＰＣと共にＦＰＣ挿入方向に沿ってスライド挿入可能であり、上記一対の接続手段は、押圧板を挟んだ両側で押圧板に平行に延びる一対の接続アームからなることを特徴とするＦＰＣ接続用電気コネクタ。
【請求項３】
請求項２において、上記固定ハウジングの挿入凹部の一対の側部に、押圧板の対応する側部を案内するための一対の案内溝がそれぞれ形成され、各案内溝が押圧板の湾曲を促すように湾曲していることを特徴とするＦＰＣ接続用電気コネタク。
【請求項４】
請求項２又は３において、上記コンタクトは、接触部を有する弾性片部とこれに対向する固定片部とを含み、押圧板は、固定片部によって受けられた状態でその加圧面によってＦＰＣを押圧し、コンタクトの固定片部は挿入凹部内に挿入された押圧板の湾曲を促すための湾曲状の膨出部を含むことを特徴とするＦＰＣ接続用電気コネクタ。
【請求項５】
ＦＰＣ挿入方向に沿ってＦＰＣを挿入可能な挿入凹部を有する固定ハウジングと、
固定ハウジングに横並びに保持された複数のコンタクトと、
左右一対の接続アームを介して固定ハウジングに接続され、固定ハウジングの所定位置に変位可能な可動ハウジングとを備え、
この可動ハウジングは、挿入凹部内にＦＰＣと共にＦＰＣ挿入方向に沿ってスライド挿入可能な押圧板を含み、この押圧板は上記所定位置に変位した状態でＦＰＣをコンタクトの接触部に押圧するための加圧面を有し、
上記押圧板の一対の側部に、押圧板の対応する側部を案内するための案内溝がそれぞれ形成され、案内溝が挿入凹部に挿入された押圧板の湾曲を促すように湾曲しており、
案内溝によって湾曲を促された押圧板は、その加圧面のＦＰＣ挿入方向の中間部が膨らむように湾曲することを特徴とするＦＰＣ接続用電気コネタク。
【請求項６】
ＦＰＣ挿入方向に沿ってＦＰＣを挿入可能な挿入凹部を有する固定ハウジングと、
固定ハウジングに横並びに保持された複数のコンタクトと、
左右一対の接続アームを介して固定ハウジングに接続され、固定ハウジングの所定位置に変位可能な可動ハウジングとを備え、
この可動ハウジングは、挿入凹部内にＦＰＣと共にＦＰＣ挿入方向に沿ってスライド挿入可能な押圧板を含み、この押圧板は上記所定位置に変位した状態でＦＰＣをコンタクトの接触部に押圧するための加圧面を有し、
上記コンタクトは、接触部を有する弾性片部とこれに対向する固定片部とを含み、
押圧板は、固定片部によって受けられた状態でその加圧面によってＦＰＣを押圧し、コンタクトの固定片部は挿入凹部内に挿入された押圧板の湾曲を促すための湾曲状の膨出部を含み、
固定片部の膨出部によって湾曲を促された押圧板は、その加圧面のＦＰＣ挿入方向の中間部が膨らむように湾曲することを特徴とするＦＰＣ接続用電気コネタク。
【請求項７】
請求項１乃至６の何れか１つにおいて、上記可動ハウジングが所定位置に変位した状態で押圧板の加圧面の湾曲の頂部がＦＰＣを挟んでコンタクトの接触部に対向することを特徴とするＦＰＣ接続用電気コネクタ。                
【発明の詳細な説明】
【技術分野】
【０００１】
本発明はＦＰＣ（フレキシブル・プリンテッド・サーキット）接続用の電気コネクタに関する。
【背景技術】
【０００２】
この種のコネクタとして、挿入凹部内にコンタクト群を保持するハウジングと、このハウジングに接続アームを介してスライドするスライダ（リテーナとも言う）を備え、このスライダの押圧板をＦＰＣと共にハウジングの挿入凹部内に差し込んで、ＦＰＣをコンタクト群に押圧接触させる電気コネクタが提供されている（例えば特許文献１）。
【０００３】
また、開口部にコンタクト群を臨ませて保持するハウジングと、開口部を回動により開閉可能な蓋状の押圧板とを備え、閉じ状態の押圧板によってＦＰＣをコンタクト群に押圧接触させる電気コネクタがある（例えば特許文献２）。
【特許文献１】特開２００１−５２７８５号公報
【特許文献２】特開２００２−２５２０６１号公報
【発明の開示】
【発明が解決しようとする課題】
【０００４】
近年、携帯電話等の小型の電子機器において、例えば電気コネクタの高さを１ｍｍ程度とするような低背化の要請がある。このため、特許文献１や特許文献２の押圧板の肉厚が非常に薄くなってきており、押圧板に反り等の変形が生じ易くなっている。反りが生じた場合、コンタクト群において、ＦＰＣへの接触圧力が不均一となり、電気的導通が不安定となるコンタクトが出現するおそれがある。
【０００５】
そこで、特許文献２の電気コネクタでは、押圧板に金属補強板の一部を埋設することで補強しているが、肉厚が薄い押圧板に埋設すること自体が困難であり、製造誤差等によって、万一、金属補強板の一部が押圧板の表面に露出するような場合、通電不良が生ずるおそれがある。逆に、確実に埋設しようとして押圧板の肉厚を厚くすると、低背化の要請に反する。また、インサート成形を必要とするため、製造コストが高くなる。
【０００６】
本発明は上記課題に鑑みてなされたものであり、低背化を達成でき、しかも安定した接圧を確保することができる安価なＦＰＣ用電気コネクタを提供することを目的とする。
【課題を解決するための手段】
【０００７】
上記目的を達成するため、本発明は、ＦＰＣ挿入方向に沿ってＦＰＣを挿入可能な挿入凹部を有する固定ハウジングと、固定ハウジングに横並びに保持された複数のコンタクトと、左右一対の接続手段を介して固定ハウジングに接続され、固定ハウジングの所定位置に変位可能な可動ハウジングとを備え、この可動ハウジングは、上記所定位置に変位した状態でＦＰＣをコンタクトの接触部に押圧するための加圧面を有する合成樹脂からなる押圧板を含み、自由状態の押圧板は、その加圧面のＦＰＣ挿入方向の中間部に湾曲状の膨出部を含むことを特徴とするものである。
【０００８】
可動ハウジングの押圧板のＦＰＣ挿入方向の中間部が、ＦＰＣ側から受ける接圧（接触圧力）によってＦＰＣから逃げる方向へ撓もうとするが、本発明では、押圧板に予め膨出部を設けておくことで、押圧板の加圧面の不必要な撓みを防止することができ、ＦＰＣに対する十分な接圧を確保することができる。可及的に押圧板の薄肉化を実現でき、ＦＰＣ接続用電気コネクタの低背化を達成することができる。従来のように可動ハウジングに金属部材をインサート成形して補強する必要がなくなり、製造コストを安くすることができる。
【０００９】
好ましくは、本発明では、上記可動ハウジングの押圧板は、挿入凹部内にＦＰＣと共にＦＰＣ挿入方向に沿ってスライド挿入可能であり、上記一対の接続手段は、押圧板を挟んだ両側で押圧板に平行に延びる一対の接続アームからなる場合がある。この場合、挿入凹部に押圧板をスライド挿入するスライダ方式のＦＰＣ接続用電気コネクタに好適に用いることができる。
【００１０】
好ましくは、本発明では、上記固定ハウジングの挿入凹部の一対の側部に、押圧板の対応する側部を案内するための一対の案内溝がそれぞれ形成され、各案内溝が押圧板の湾曲を促すように湾曲している場合がある。この場合、押圧板の加圧面自体に予め膨出部を設けてあることに加えて、案内溝によって押圧板の湾曲を促すことができ、より確実に押圧板を湾曲させて、十分な接圧をより確実に得ることができる。
【００１１】
好ましくは、本発明では、上記コンタクトは、接触部を有する弾性片部とこれに対向する固定片部とを含み、押圧板は、固定片部によって受けられた状態でその加圧面によってＦＰＣを押圧し、コンタクトの固定片部は挿入凹部内に挿入された押圧板の湾曲を促すための湾曲状の膨出部を含む場合がある。この場合、押圧板の加圧面自体に予め膨出部を設けてあることに加えて、接触部を有する弾性片部の真上で固定片部の膨出部によって押圧板を湾曲状に促すことができ、十分な接圧をより確実に得ることができる。
【００１２】
また、本発明は、ＦＰＣ挿入方向に沿ってＦＰＣを挿入可能な挿入凹部を有する固定ハウジングと、固定ハウジングに横並びに保持された複数のコンタクトと、左右一対の接続アームを介して固定ハウジングに接続され、固定ハウジングの所定位置に変位可能な可動ハウジングとを備え、この可動ハウジングは、挿入凹部内にＦＰＣと共にＦＰＣ挿入方向に沿ってスライド挿入可能な押圧板を含み、この押圧板は上記所定位置に変位した状態でＦＰＣをコンタクトの接触部に押圧するための加圧面を有し、上記押圧板の一対の側部に、押圧板の対応する側部を案内するための案内溝がそれぞれ形成され、案内溝が挿入凹部に挿入された押圧板の湾曲を促すように湾曲しており、案内溝によって湾曲を促された押圧板は、その加圧面のＦＰＣ挿入方向の中間部が膨らむように湾曲することを特徴とする。本発明では、いわゆるスライダ方式のＦＰＣ接続用電気コネクタにおいて、案内溝によって押圧板の加圧面の湾曲を促すことができ、十分な接圧を確保することができる。可及的に押圧板の薄肉化を実現でき、ＦＰＣ接続用電気コネクタの低背化を達成することができる。従来のように可動ハウジングに金属部材をインサート成形して補強する必要がなくなり、製造コストを安くすることができる。
【００１３】
また、本発明は、ＦＰＣ挿入方向に沿ってＦＰＣを挿入可能な挿入凹部を有する固定ハウジングと、固定ハウジングに横並びに保持された複数のコンタクトと、左右一対の接続アームを介して固定ハウジングに接続され、固定ハウジングの所定位置に変位可能な可動ハウジングとを備え、この可動ハウジングは、挿入凹部内にＦＰＣと共にＦＰＣ挿入方向に沿ってスライド挿入可能な押圧板を含み、この押圧板は上記所定位置に変位した状態でＦＰＣをコンタクトの接触部に押圧するための加圧面を有し、上記コンタクトは、接触部を有する弾性片部とこれに対向する固定片部とを含み、押圧板は、固定片部によって受けられた状態でその加圧面によってＦＰＣを押圧し、コンタクトの固定片部は挿入凹部内に挿入された押圧板の湾曲を促すための湾曲状の膨出部を含み、固定片部の膨出部によって湾曲を促された押圧板は、その加圧面のＦＰＣ挿入方向の中間部が膨らむように湾曲することを特徴とする。本発明では、いわゆるスライダ方式のＦＰＣ接続用電気コネクタにおいて、接触部を有する弾性片部の真上で固定片部の湾曲状突部によって押圧板を湾曲状に促すことができ、十分な接圧を確保することができる。可及的に押圧板の薄肉化を実現でき、ＦＰＣ接続用電気コネクタの低背化を達成することができる。従来のように可動ハウジングに金属部材をインサート成形して補強する必要がなくなり、製造コストを安くすることができる。
【００１４】
好ましくは、本発明では、上記可動ハウジングが所定位置に変位した状態で押圧板の加圧面の湾曲の頂部がＦＰＣを挟んでコンタクトの接触部に対向する場合がある。この場合、押圧板の湾曲を最も効果的に利用して十分な接圧を確保することができる。
【発明を実施するための最良の形態】
【００１５】
本発明の好ましい実施の形態を添付図面を参照しつつ説明する。
【００１６】
図１および図２は本発明の一実施の形態のＦＰＣ接続用電気コネクタの平面図および正面図である。図１および図２を参照して、本ＦＰＣ接続用電気コネクタ１（以下では、単に電気コネクタ１とも言う。）は、前方Ｘに開放する挿入凹部２に横並びの複数のコンタクト３を保持した固定ハウジング４と、固定ハウジング４の挿入凹部２に挿抜される押圧板５を含む可動ハウジングとしてのスライダ６とを備えている。
【００１７】
押圧板５は上記の挿入凹部２に図５に示すようにＦＰＣ７と共にＦＰＣ７の挿入方向Ｙに沿って差し込まれ、挿入方向Ｙの所定位置にスライド変位した状態で、その下面からなる加圧面５ａによって、ＦＰＣ７を複数のコンタクト３の接触部８に押圧して接触させるものである。
【００１８】
本実施の形態の主に特徴とするところは、加圧面５ａが挿入方向Ｙの中間部が膨らむようにして湾曲した膨出部５ｂを含んでおり、膨出部５ｂによってＦＰＣ７をコンタクト３の接触部８に確実に押圧接触させる点にある。押圧板５の挿入状態で、膨出部５ｂの頂部５ｃがコンタクト３の接触部８の直上に位置するようにしてある。押圧板５の加圧面５ａと反対側にある対向面５ｄには、膨出部５ｂに対応して窪む凹部５ｅが形成されている。すなわち、押圧板５がコンタクト３の接触部８側からの荷重を受けて撓む方向に対して逆向きの、いわゆる逆反り形状が押圧板５に予め与えられていることになる。
【００１９】
スライダ６は、合成樹脂の一体成形品からなり、横長の本体９と、本体９から挿入凹部２に向けて延びる上記押圧板５と、本体８の押圧板５を挟んだ両側位置から押圧板５と平行に延びる一対の接続手段としての接続アーム１０，１１とを備える。これら接続アーム１０，１１は互いに対称をなす。
【００２０】
固定ハウジング４は、挿入凹部２を挟んだ左右位置に、前方Ｘ及び上方に開放する一対の左右対称のスライド溝１２，１３を備えている。スライダ６の各接続アーム１０，１１は、対応するスライド溝１２，１３に収容された状態で前後に（すなわち挿抜方向に沿って）スライド自在である。
【００２１】
図１および図３を参照して、固定ハウジング４の左右の側部にはそれぞれ金属製の補強板としての補強タブ１４，１５が設けられる。各補強タブ１４，１５は固定ハウジング４の対応する側部に埋設された第１の部分１４ａ，１５ａと、当該電気コネクタ１が実装される基板１６の表面１６ａに半田付けにより固定される第２の部分１４ｂ，１５ｂとを含む鉤型をなす。
【００２２】
また、各接続アーム１０，１１は例えばフックからなる係合部１７を備えており、各係合部１７は、対応するスライド溝１２，１３内に設けられた例えば凹部からなるロック部１８に係合することにより、スライダ６を固定ハウジング４に対して抜け止めロックすることができるようになっている。
【００２３】
図４を参照して、コンタクト３は、固定ハウジング４の下板部１９に形成された収容溝２０に収容される弾性片部２１と、この弾性片部２１の上方に配置され、弾性片部２１とでフォーク状をなす固定片部２２とを備えている。
【００２４】
弾性片部２１の先端部には上記接触部８が形成され、この接触部８は収容溝２０から突出して山形をなす。固定片部２２の基端部は固定ハウジング４の上板部２３と中間板２４との間に区画される固定孔２５に圧入され固定されている。
【００２５】
弾性片部２１と固定片部２２の後端部同士は主体部２６によって連結され、この主体部２６の後端上部からは略Ｌ字形形状をなすリード部２７が延設されている。このリード部２７は、基板１６の表面１６ａに半田付けされる。
【００２６】
図５に示すように、ＦＰＣ７と共にスライダ６の押圧板５を固定ハウジング４の挿入凹部２内の所定位置まで挿入した状態では、接触部８からの接圧により、押圧板５が上向きに凸になる方向へ撓もうとするが、本実施の形態では、押圧板５に下向きに凸の逆反り形状を予め与えておくことで、押圧板５の不必要な撓みを防止することができ、その結果、ＦＰＣ７に対する十分な接圧を確保することができる。可及的に押圧板の薄肉化を実現でき、ＦＰＣ接続用電気コネクタの低背化を達成することができる。従来のようにスライダや回動カバー等の可動ハウジングに金属部材をインサート成形して補強する必要がなくなり、製造コストを安くすることができる。
【００２７】
なお、本実施の形態において、押圧板５の対向面５ｄの凹部５ｅを廃止して、対向面５ｄを平坦面で構成するようにしても良い。
【００２８】
次いで、図６を参照して、本発明の別の実施の形態について説明する。固定ハウジング４の挿入凹部２の左右の側壁２８（図では一方の側壁２８のみを示す）には、挿入凹部２内に挿入される押圧板５の対応する側部５ｆ，５ｇを案内する案内溝２９が形成されているが、この案内溝２９に、挿入方向Ｙの中間部がＦＰＣ７側に凸となるような湾曲形状を与えるようにしても良い。これにより、挿入凹部２内に挿入される押圧板５が湾曲するように促すことができる。
【００２９】
本実施の形態では、押圧板５の加圧面５ａおよび対向面５ｄをともに平坦面としておいても、案内溝５によって押圧板５の湾曲を強制して、十分な接圧を確保することができる。ただし、押圧板５の加圧面５ａに図４の実施の形態のような膨出部５ｃを設けておいても良く、この場合、十分な接圧をより確実に得ることができる。
【００３０】
次いで、図７は本発明のさらに別の実施の形態を示している。図７を参照して、本実施の形態の特徴とするところは、コンタクト３の固定片部２２に、押圧板５の加圧面５ａの湾曲を促すための湾曲状の膨出部３０を設けた点にある。
【００３１】
挿入凹部２内に挿入された押圧板５は、コンタクト３の固定片部２２の膨出部３０によって受けられた状態でコンタクト３の弾性片部２１の接触部８側への湾曲を促される。これにより、押圧板５はその加圧面５ａによってＦＰＣ７をコンタクト３の接触部８に確実に押圧して十分な接圧を確保することができる。
【００３２】
本実施の形態では、押圧板５の加圧面５ａおよび対向面５ｄをともに平坦面としておいても、コンタクト３の固定片部２２の膨出部３０によって押圧板５の湾曲を強制して、十分な接圧を確保することができる。ただし、本実施の形態を、押圧板５の加圧面５ａに膨出部５ｃを設ける図４の実施の形態や、案内溝２９を湾曲させる図６の実施の形態と組み合わせて実施するようにしても良く、この場合、十分な接圧をより確実に得ることができる。
【００３３】
なお、本発明は上記実施の形態に限定されるものではなく、例えば、本発明の可動ハウジングが所定の回動軸線の回りに回動するカバーからなっていても良い。
【００３４】
また、スライド溝がハウジングの側面に開放するタイプ、すなわちインナーロックでないタイプであっても良い。
【００３５】
また、上記各実施の形態では、ＦＰＣ７の下面が下方のコンタクトと接圧を確保するいわゆる下接点タイプであったが、これに限らず、ＦＰＣ７の上面が上方のコンタクトと接圧を確保するいわゆる上接点タイプであっても良い。
【図面の簡単な説明】
【００３６】
【図１】本発明の一実施の形態のＦＰＣ接続用電気コネクタにおいてスライダを引き出した状態の平面図である。
【図２】ＦＰＣ接続用電気コネクタの正面図である。
【図３】ＦＰＣ接続用電気コネクタの側面図である。
【図４】図２のＩＶ−ＩＶ線に沿う断面図である。
【図５】ＦＰＣを接続した状態のＦＰＣ接続用電気コネクタの断面図である。
【図６】本発明の別の実施の形態のＦＰＣ接続用電気コネクタの要部の分解斜視図である。
【図７】本発明の別の実施の形態のＦＰＣ接続用電気コネクタの要部の断面図である。
【符号の説明】
【００３７】
１    電気コネクタ（ＦＰＣ接続用電気コネクタ）
２    挿入空間
３    コンタクト
４    固定ハウジング
５    押圧板
５ａ  加圧面
５ｂ  膨出部
５ｃ  頂部
５ｄ  対向面
５ｅ  凹部
６    スライダ（可動ハウジング）
７    ＦＰＣ
８    接触部
９    本体
１０，１１  接続アーム
１２，１３  スライド溝
１４，１５  補強タブ（補強板）
１９  下板部
２０  収容溝
２１  弾性片部
２２  固定片部
２７  リード部
２９  案内溝
３０  膨出部
Ｘ    前方
Ｙ    挿入方向（ＦＰＣ挿入方向）
【図１】
2005063842.tif 000003
【図２】
2005063842.tif 000004
【図３】
2005063842.tif 000005
【図４】
2005063842.tif 000006
【図５】
2005063842.tif 000007
【図６】
2005063842.tif 000008
【図７】
2005063842.tif 000009